(57)【要約】【課題】  使用済みおむつを容易に丸めて廃棄できるようにする。【解決手段】  股下部４で連続した前身頃２と後身頃３との両側縁部を接合し、胴開口部７及び左右一対の脚開口部５、６が設けられ、透液性のトップシート１１と不織布から構成したバックシート１２との間に吸収体９を配設してなり、少なくともバックシート１２には、分割部２２が設けられ、分割部２２には、吸収体９と対向する面の一方の端部に接着部２４が設けられている。【選択図】図４
2005278886.tif 000002
【特許請求の範囲】
【請求項１】
股下部で連続した前身頃と後身頃との両側縁部を接合し、胴開口部及び左右一対の脚開口部が設けられたおむつにおいて、
透液性のトップシートと不織布から構成したバックシートとの間に吸収体を配設してなり、
少なくとも上記バックシートには、分割部が設けられ、
上記分割部には、上記吸収体と対向する面の一方の端部に接着部が設けられていることを特徴とするおむつ。
【請求項２】
上記分割部は、上記バックシートに設けられた分割線から分割可能であることを特徴とする請求項１記載のおむつ。
【請求項３】
上記分割部は、上記股下部側に展開可能であり、上記吸収体と対向する面の一方の端部に接着部が設けられていることを特徴とする請求項１記載のおむつ。
【請求項４】
上記股下部側に展開可能な第１の分割部と、上記胴開口部側に展開可能な第２の分割部とを有し、上記第１の分割部及び上記第２の分割部には、上記吸収体と対向する面の一方の端部に接着部が設けられていることを特徴とする請求項１記載のおむつ。
【請求項５】
上記分割部は、左右何れか一方の上記脚開口部側に展開可能である請求項１記載のおむつ。
【請求項６】
一方の上記脚開口部側に展開可能な第１の分割部と、他方の上記脚開口部側に展開可能に第２の分割部とを有し、上記第１の分割部及び上記第２の分割部には、上記吸収体と対向する面の一方の端部に接着部が設けられていることを特徴とする請求項１記載のおむつ。
【請求項７】
上記分割部には、弾性部材が設けられていることを特徴とする請求項１記載のおむつ。
【請求項８】
股下部で連続した前身頃と後身頃との両側縁部を接合し、胴開口部及び左右一対の脚開口部が設けられたおむつにおいて、
透液性のトップシートと不織布から構成したバックシートとを備え、
上記バックシートは、第１のシート体と第２のシート体とからなり、上記第１のシート体の端部に接着部が設けられ、上記接着部が上記第２のシート体の端部に接着され、
上記第１のシート体は、上記第２のシート体から剥離可能であることを特徴とするおむつ。
【請求項９】
上記第１のシート体と上記第２のシート体とは、上記股下部で接着されていることを特徴とする請求項８記載のおむつ。
【発明の詳細な説明】
【技術分野】
【０００１】
本発明は、後処理テープを必要としないおむつに関する。
【背景技術】
【０００２】
おむつは、一般に前身頃と後身頃とが設けられたシート体を股下部で折り曲げ、両側縁部を一体的に接合してなり、胴開口部と一対の脚開口部とが設けられている。使用済みおむつは、その内面が汚物により汚れていることから、廃棄する際に内面が外部に露出したり、汚物が外部に漏れ出ないようにするため、通常、内面を内側にして丸め込み、捨てられる。
【０００３】
そこで、おむつでは、廃棄する際に丸めた状態から開かないようにするため、後身頃の外側にテープ状の接着部材からなる後処理テープを設け、この後処理テープを外周面に貼り付けることで開かないようにする。
【０００４】
しかしながら、このようなおむつでは、シート体の後身頃に、別途、後処理テープを付ける工程を設けなければならず、製造工程が増え、手間が掛かってしまう。また、このようなおむつでは、後処理テープがテープ状からなるため、幅が狭く、シート体との接着面積が小さく、後処理テープがシート体から剥離してしまう場合がある。これにより、おむつでは、丸めた状態を維持することができず、開いてしまい、内面が外部に露出してしまったり、汚物が漏れ出てしまう場合があるため、丸めて廃棄するという効果が半減してしまう。
【０００５】
また、このようなおむつでは、使用する前に例えば乳幼児が後処理テープを外して、無くなってしまった場合など、丸めた状態で廃棄することができなくなってしまう。また、シート体に後処理テープを接着する際に適切に接着されなかった場合には、後処理テープのないおむつが製造され、同様に丸めた状態で廃棄することができなくなってしまう。なお、おむつのシート体に後処理テープを設けたおむつとしては、下記に示す特許文献１のようなものがある。
【０００６】
【特許文献１】特開平１１−７６２９６号公報
【発明の開示】
【発明が解決しようとする課題】
【０００７】
そこで、本発明は、使用済みのおむつを丸めて廃棄する際に、他の部材を用いることなく、容易に包むことができ、丸めた状態を確実に維持することができるおむつを提供することを目的とする。
【課題を解決するための手段】
【０００８】
上述した目的を達成する本発明に係るおむつは、股下部で連続した前身頃と後身頃との両側縁部を接合し、胴開口部及び左右一対の脚開口部が設けられ、透液性のトップシートと不織布から構成したバックシートとの間に吸収体を配設してなり、少なくともバックシートには、分割部が設けられ、分割部には、吸収体と対向する面の一方の端部に接着部が設けられていることを特徴とする。
【０００９】
また、上述した目的を達成する本発明に係るおむつは、股下部で連続した前身頃と後身頃との両側縁部を接合し、胴開口部及び左右一対の脚開口部が設けられ、透液性のトップシートと不織布から構成したバックシートとを備え、バックシートは、第１のシート体と第２のシート体とからなり、第１のシート体の端部に接着部が設けられ、接着部が上記第２のシート体の端部に接着され、第１のシート体は、第２のシート体から剥離可能であることを特徴とする。
【発明の効果】
【００１０】
本発明では、使用後にバックシートの一部を切り取って形成された分割部で全体を包み込み、分割部に設けられた接着部を外周部に接着する。本発明では、別途、他の接着部材を用いることなく、バックシートの一部を使っておむつを包むことができ、丸めた状態を維持することができるため、構成部品を増やす必要がない。したがって、本発明では、バックシートから分割された分割部でおむつ全体を包み込むことができ、廃棄する際に汚物が漏れ出たりすることを防止することができる。
【００１１】
また、本発明では、分割部の端部に接着部を設けることによって、接着部の面積を大きくすることができ、丸めた状態を確実に維持することができる。これにより、使用済みおむつの廃棄時におむつが容易に開いてしまうことを防止し、汚物が漏れ出てしまうことがないため、廃棄する際に、丸めて捨てるという効果を十分に得ることができる。
【発明を実施するための最良の形態】
【００１２】
以下、本発明を適用したパンツ型おむつを図面を参照して説明する。
【００１３】
このパンツ型おむつ１は、例えば使い捨て用の紙おむつである。パンツ型おむつ１は、図１乃至図３に示すように、前身頃２と後身頃３とが股下部４を介して一連に連結されている。パンツ型おむつ１は、前身頃２と後身頃３との連結方向と直交する方向の一側縁の前身頃２及び後身頃３のそれぞれに、内側に凹部状に切り欠かれた右脚開口部５を構成する右脚周り部５Ｒ，５Ｒと、この右脚周り部５Ｒ、５Ｒと対向する位置に同様に左脚開口部６を構成する左脚周り部６Ｌ，６Ｌとが設けられ、連結方向の両端に胴開口部７を構成する胴回り部７Ｗ、７Ｗが設けられている。また、前身頃２及び後身頃３には、胴開口部７側の側縁部に接合部８Ｒ、８Ｌが設けられている。そして、パンツ型おむつ１は、前身頃２の接合部８Ｒと後身頃３の接合部８Ｒ及び前身頃２の接合部８Ｌと後身頃３の接合部８Ｌとを突き合わせて超音波溶着、熱溶着等で一体的に接合される。前身頃２と後身頃３とが接合部８Ｒ，８Ｌで接合されることによって、パンツ型おむつ１は、前身頃２と後身頃３の右脚周り部５Ｒ，５Ｒによって右脚開口部５が形成され、前身頃２と後身頃３の左脚周り部６Ｌ，６Ｌによって左脚開口部６が形成され、前身頃２と後身頃３の胴周り部７Ｗ，７Ｗによって胴開口部７が形成される。
【００１４】
また、前身頃２と後身頃３との胴周り部７Ｗ，７Ｗの側縁部には、胴開口部７を着用者の胴周りに密着させるための一又は複数本の弾性糸等で構成された弾性部材１０Ｗ、１０Ｗが設けられている。更に、前身頃２の弾性部材１０Ｗ及び後身頃３の弾性部材１０Ｗの下側には、着用者の腹部側に前身頃２を密着させ、背中側に後身頃３を密着させるための一又は複数本の弾性部材１０Ｂ，１０Ｂが設けられている。
【００１５】
前身頃２から股下部４を挟み後身頃３までの内面の中央部には、排泄物を吸収する吸収体９が配設されている。そして、パンツ型おむつ１は、図３に示すように、内側となるトップシート１１と、外側となるバックシート１２との間に吸収体９を挟み込んだ構成からなる。
【００１６】
ここで、トップシート１１は、着用者の皮膚に直接接する側の面を構成するものであり、順応性、柔軟性、非刺激性材料を有し、吸収体９に排泄物の水分を吸収させるため液透過性である。そこで、トップシート１１には、有孔又は無孔の不織布や多孔性プラスチックシート等が用いられる。不織布を構成する素材繊維としては、ポリエチレン、ポリプロピレン等のオレフィン系、ポリエステル系、ポリアミド系等の合成繊維の他、レーヨン、キュプラ等の再生繊維、綿等の天然繊維が用いられ、スパンレース法、スパンボンド法、サーマルボンド法、メルトブローン法、ニードルパンチ法等の加工法によって製造される。
【００１７】
また、バックシート１２は、トップシート１１とは反対側の最も外側に配置され、吸収体９が吸収した水分等の液体が外部に漏れないようにし、着用者の衣服等を汚さないようにするためのものである。バックシート１２には、例えばポリエチレンやポリプロピレン等の合成繊維等をエアスルー法、スパンボンド法、ポイントボンド法等の加工法で得られた不織布を用いる。また、バックシート１２としては、ムレ防止の観点から透湿性を有する遮水・透湿性シート、更には不織布と防水シートの複合シート等を用いてもよい。
【００１８】
以上のようなトップシート１１及びバックシート１２は、間に吸収体９を挟み込み、周囲を超音波溶着、熱溶着等で一体的に接合される。挟み込まれる吸収体９は、高吸収性ポリマーと吸収性繊維とを含む吸収主体を、綿状パルプを主体とした、ある程度の剛性を有するクレープ紙で包み、吸収主体とクレープ紙との間にホットメルト接着剤を介在させ、吸収主体とクレープ紙とを一体化したものである。
【００１９】
吸収主体は、高吸収性ポリマーと吸収性繊維を成形してなるものである。ここで用いられる高吸収性ポリマーとしては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、又はイソブチレンとマレイン酸との共重合体等が用いられる。また、高吸収性ポリマーとしては、粉体状、粒子状、顆粒状、ペレット状、ゾル状、サスペンジョン状、ゲル状、フィルム状、不織布状等の様々な形態をもったものがあるが、特に粒子状のものが好適である。
【００２０】
また、吸収主体２１に用いられる吸収性繊維としては、木材から得られる化学パルプ、溶解パルプ等のセルロース繊維、レーヨン、アセテート等の人工セルロース繊維等を用いることができる。
【００２１】
また、吸収体９とバックシート１２の間には、吸収体９側に防水シート１３が設けられ、バックシート１２側にギャザー押えシート１４が設けられている。防水シート１３は、吸収体９に吸収された液体等の色がバックシート１２側に写らないようにするため、液不透過性であり且つ不透明のものである。この防止シート１３としては、プラスチック中に炭酸カルシウムや酸化チタン等の顔料を含有させて、不透明にさせたものがある。この防水シート１３は、バックシート１２との間に介在されるギャザー押えシート１４を液不透過性のもので形成した場合、省略するようにしてもよい。
【００２２】
ギャザー押えシート１４は、トップシート１１とバックシート１２に挟み込まれた吸収体９の両側縁部に排泄物が右脚開口部５と左脚開口部６から漏れないようにするための起立カフス１５を設ける際に、吸収体９の両側縁部においてトップシート１１との間で、弾性部材を挟み込む。起立カフス１５は、ギャザー押えシート１４とトップシート１１との間に設けられた弾性部材の弾性伸縮力により、吸収体９の側縁部よりも外側のギャザー押えシート１４及びトップシート１１を内側に起立させ、起立カフス１５を形成する。このギャザー押えシート１４は、ポリエチレンやポリプロピレン、ポリエステル等の合成繊維、レーヨンやキュプラ等の再生繊維、綿等の天然繊維を用い、エアスルー法、スパンボンド法、ポイントボンド法等で加工することによって得られた不織布である。
【００２３】
また、ギャザー押えシート１４は、トップシート１１とで胴開口部７を着用者の胴周りに密着させるための弾性部材１０Ｗや着用者の腹部側に前身頃２を密着させ、背中側に後身頃３を密着させるための弾性部材１０Ｂ，１０Ｂを挟み込む。
【００２４】
上述した構成からなるパンツ型おむつ１は、図４乃至図６に示すように、バックシート１２に切取線２１が設けられている。また、バックシート１２には、分割される分割部２２を有する。パンツ型おむつ１では、バックシート１２から分割された分割部２２で使用後のおむつを包むことができる。
【００２５】
具体的には、パンツ型おむつ１の前身頃２の略中央に、パンツ型おむつ１の幅方向、即ち胴周り部７Ｗと略平行にミシン目で形成された切取線２１が設けられており、この切取線２１から股下部４側に分割される分割部２２が設けられている。この分割部２２には、バックシート１２の吸収体９と対向する対向面２３の端部に、切取線２１に沿って接着部２４が設けられている。この分割部２２は、切取線２１から股下部４側に捲られることによって、対向面２３に設けられた接着部２４が外部に露出する。また、パンツ型おむつ１では、バックシート１２の一部を分割しても、吸収体９とバックシート１２との間には防水シート１１及びギャザー押えシート１４が設けられているため、この防水シート１１及びギャザー押えシート１４によって、吸収体９に吸収された液体等が外部に漏出することがない。
【００２６】
接着部２４は、図６に示すように、丸めたパンツ型おむつ１を分割部２２で包む際に、丸めたパンツ型おむつ１の外周部と貼り合わされる部分であり、外周部と貼り合わされることによって、分割部２２を外周部に沿って固定する。接着部２４は、繰り返し接着が可能なホットメルト接着剤やメカニカルテープ、Ｚ型テープ、両面テープ等である。この接着部２４は、分割部２２の端部に部分的に設けても良いが、端部に沿って設けることにより接着面積を大きくさせる。また、接着部２４は、内面に設けられているので、着用者の衣服に貼り付くことがない。
【００２７】
パンツ型おむつ１を丸める際は、切取線２１を切り取り、図５に示すように、切取線２１から股下部４まで分割部２２をバックシート１２から分割する。そして、パンツ型おむつ１を胴開口部７側から丸め、股下部４まで丸めた後、図６に示すようにバックシート１２から分割された分割部２２で丸めたパンツ型おむつ１を包み、接着部２４を丸めたパンツ型おむつ１の外周部に貼り合わせることで、パンツ型おむつ１を丸めた状態にする。なお、バックシート１２は、ある程度の強度を有する不織布等からなるため、丸めたパンツ型おむつ１を分割部２２で包んだ場合でも、破れてしまうことがない。
【００２８】
上述したように、パンツ型おむつ１では、バックシート１２の一部を分割した分割部２２で丸めたおむつを包む構成としたので、別途、丸めた状態を維持するための後処理テープ等を必要とせず、構成部品を増やすことなく、製造工程の簡略及び製造時間を短縮させることができる。
【００２９】
また、このパンツ型おむつ１では、胴周り部７に略平行に切取線２１を設け、且つ股下部４までバックシート１２を分割することによって、分割された分割部２２の長辺方向の長さが長くなるため、分割部２２の面積が大きくなり、丸めたおむつの大部分を包むことができる。これにより、このパンツ型おむつ１では、おむつを包む力が大きく、最小限の大きさに包むことができ、廃棄する際の取り扱いが容易となる。また、このパンツ型おむつ１では、分割部２２の幅方向に亘って接着部２４を設けることによって、接着させる面積を広くすることができ、接着力が高くなる。これにより、パンツ型おむつ１では、丸めた状態を維持することができるため、吸収体９が吸収した液体等が漏れ出ることがなく、廃棄する際に汚れることがない。また、このパンツ型おむつ１では、分割部２２で丸めたおむつの大部分を包むことによっても、吸収体９に吸収されている液体等の漏れを防止し、におい等を低減させることができる。
【００３０】
なお、上述したパンツ型おむつ１では、切取線２１を前身頃２に設け、前身頃２側のバックシート１２に分割部２２を設けたが、このことに限定せず、後身頃３に切取線２１を設け、後身頃３側のバックシート１２に分割部２２を設けるようにしてもよい。また、このパンツ型おむつ１では、ギャザー押えシート１４にもバックシート１２の切取線２１と同じ又は近い位置に切取線２１を設け、ギャザー押えシート１４の吸収体９と対向する面に接着部２４を設けるようにしてもよい。この場合、パンツ型おむつ１では、丸めたおむつを先ず、内側に位置するギャザー押えシート１４で包み、ギャザー押えシート１４に設けた接着部を丸めたおむつの外周部に接着させ、次に、ギャザー押えシート１４の上からバックシート１２の分割部２２で丸めたおむつを包み、分割部２２の接着部２４を丸めたおむつの外周部に接着させ、丸めたおむつを包むようにする。
【００３１】
また、上述したパンツ型おむつ１では、前身頃２の略中央に、胴周り部７Ｗと略平行に切取線２１を設けたが、このことに限定せず、切取線２１を次のように設けてもよい。なお、以下に示すパンツ型おむつでは、上述したパンツ型おむつ１と同様の構成については同一の符号を付して詳細な説明を省略する。
【００３２】
上述したパンツ型おむつ１の他の例としては、図７に示すように、パンツ型おむつ３０がある。このパンツ型おむつ３０は、前身頃２の略中央に、胴周り部７Ｗに略平行に切取線３１を設け、切取線３１から股下部４までのバックシート１２に第１の分割部３２が設けられ、第１の分割部３２が分割される。また、このパンツ型おむつ３０は、切取線３１から胴開口部７までのバックシート１２に第２の分割部３３が設けられ、第２の分割部３３が分割される。第１の分割部３２の吸収体９と対向する面３４及び第２の分割部３３の吸収体９と対向する面３５には、それぞれ端部に接着部３６、３７が設けられている。
【００３３】
このパンツ型おむつ３０では、第１の分割部３２及び第２の分割部３３を用いて丸める場合、例えば股下部４をおむつの略半分まで折返し、バックシート１２から分割した第１の分割部３２の接着部３６を胴周り部７Ｗに接着する。そして、折返した股下部４と重なり合うように、胴開口部７を折返しおむつを丸め、バックシート１２から分割した第２の分割部３３の接着部３７を丸めたおむつの外周部に接着させる。これにより、パンツ型おむつ３０では、股下部４が内側となるように丸めたおむつを第１の分割部３２及び第２の分割部３３で包むことができ、吸収体９が吸収した液体等が漏れ出ることがなく、汚れずに廃棄することができる。このパンツ型おむつ３０では、第１の分割部３２及び第２の分割部３３の２枚の分割部３２、３３を有し、それぞれに接着部３６、３７が設けられているため、より強固に丸めたおむつを包むことができるため、最小限の大きさにすることができ、取り扱いが容易になる。なお、この例においても、第１の分割部３２及び第２の分割部３３は、後身頃３側に設けるようにしても良い。
【００３４】
また、パンツ型おむつ１の他の例として、図８に示すパンツ型おむつ４０は、後身頃３の略中央に、後身頃３の長辺方向、即ち胴開口部７から股下部４に方向に向かって切取線４１を設け、切取線４１から右脚開口部５又は左脚開口部６のどちらか一方、例えば左脚周り部６Ｌまでのバックシート１２に分割部４２が設けられている。分割部４２には、吸収体９と対向する面４３の端部に接着部４４が設けられている。
【００３５】
このパンツ型おむつ４０では、分割部４２を用いて丸める場合、分割部４１が形成されていない右脚開口部５側から左脚開口部６の方向に丸め、バックシート１２から分割された分割部４１で丸めたおむつを包み、接着部４４を丸めたおむつの外周部に接着させることで、分割部４２で丸めたおむつを包むことができる。なお、この例において、分割部４１を前身頃２側に設けるようにしても良い。
【００３６】
また、このパンツ型おむつ４０の他の例としては、図９に示すように、パンツ型おむつ５０がある。このパンツ型おむつ５０は、後身頃３の略中央に、後身頃３の長辺方向、即ち胴開口部７から股下部４に方向に向かって切取線５１を設け、切取線５１から左脚開口部６側に第１の分割部５２が設けられ、右脚開口部５側に第２の分割部５３が設けられている。第１の分割部５２の吸収体９と対向する面５４及び第２の分割部５３の吸収体９と対向する面５５には、それぞれ端部に接着部５６、５７がそれぞれ設けられている。
【００３７】
このパンツ型おむつ５０では、第１の分割部５２及び第２の分割部５３を用いて丸める場合、例えば第２の分割部５３が形成されている右脚開口部５側をおむつの略半分まで折返し、第２の分割部５３の接着部５７を左脚開口部６の近傍に接着する。そして、左脚開口部６を折返した右脚開口部５に重なるように折返し、左脚開口部６が内側となるように第１の分割部５２で包み、第１の分割部５２の接着部５６を丸めたおむつの外周部に接着させる。これにより、パンツ型おむつ５０では、第１の分割部５２及び第２の分割部５３で丸めたおむつを包むことができる。
【００３８】
このパンツ型おむつ５０では、上述したパンツ型おむつ３０と同様に、右脚開口部５側の開口が丸めたおむつの内側となり、左脚開口部６側の開口が第３の分割部４２で覆われるため、丸めたおむつの外部に露出する開口部分が少なくなる。これにより、このパンツ型おむつ５０では、吸収体９が吸収した液体等が漏れ出ることなく、汚れることなく廃棄することができる。また、このパンツ型おむつ５０では、第１の分割部５２及び第２の分割部５３の２つ分割部で包むため、より強固に丸めたおむつを包むことができる。なお、この例において、第１の分割部５２及び第２の分割部５３は、前身頃２に設けるようにしても良い。
【００３９】
また、パンツ型おむつ１の他の例として、図１０に示すパンツ型おむつ６０は、前身頃２の胴回り７Ｗに、股下部３側が開口となるように略凹状の切取線６１が設けられ、切取線６１から股下部４までのバックシート１２に分割部６２が設けられている。分割部６２には、吸収体９と対向する面６３の端部に接着部６４が設けられている。なお、凹状の切取線６１は、胴回り７Ｗに、股下部３に亘って大きく設けるようにし、分割作業を容易に行うことができるようにしても良い。
【００４０】
このパンツ型おむつ６０では、上述したパンツ型おむつ１と同様に、胴回り７Ｗが内側となるように胴回り７Ｗを股下部４側に丸め、バックシート１２から分割された分割部６２で丸めたおむつを包み、接着部６４を丸めたおむつの外周部に接着させる。これにより、パンツ型おむつ６０では、分割部６２で丸めたおむつを包むことができる。
【００４１】
このパンツ型おむつ６０では、切取線６１を略凹状の開口が股下部４側となるように形成することによって、この切取線６１によって股下部４側にバックシート１２を容易に切り取ることができるようになる。また、このパンツ型おむつ６０では、切取線６１を胴周り部７Ｗに設けることによって、おむつの長辺方向に沿ってバックシート１２を分割することができ、分割される分割部６２を大きくすることができる。これにより、このパンツ型おむつ６０では、分割部６２の面積が大きく、丸めたおむつの外周部を全周に亘り包むことができるようになり、吸収体９が吸収した液体やトップシート１１に付着している汚物、におい等が漏れるのを防止することができ、汚れることなく廃棄することができる。
【００４２】
また、パンツ型おむつ１の他の例として、図１１に示すパンツ型おむつ７０は、前身頃２の股下部４又は股下部４の近傍に、胴周り部７Ｗと略平行に切取線７１を形成し、この切取線７１より下側、即ち股下部４のバックシート１２に一又は複数本の弾性糸等で構成された弾性部材７２が設けられており、股下部４のバックシート１２に襞を形成した状態である。このパンツ型おむつ７０では、切取線７１から股下部４のバックシート１２に分割部７３が設けられる。この分割部７３は、弾性部材７２を有する。この分割部７３には、吸収体９と対向する面７４の端部に接着部７５が設けられている。
【００４３】
このパンツ型おむつ７０では、弾性部材７２が設けられた分割部７３を用いて丸める場合、胴開口部７が内側となるように、胴開口部７側から股下部４まで丸め、分割部７３の弾性部材７２を伸張させ、分割部７３の襞を広げ、分割部７３で丸めたおむつを包み、接着部７５を丸めたおむつの外周部に接着させる。これにより、このパンツ型おむつ７０では、分割部７３によって丸めたおむつを包むことができる。
【００４４】
このパンツ型おむつ７０では、分割部７３に弾性部材７２が設けられているため、丸めたおむつを包む力が大きく、丸めた状態を小さくすることができ、廃棄処理が容易になる。また、このパンツ型おむつ７０では、分割部７３に弾性部材７２を設け、襞状に形成することによって、分割されるバックシートの大きさを小さくすることができるため、バックシート１２よりトップシート１１側にある防水シート１３が外部に露出する面積が小さくなる。
【００４５】
また、パンツ型おむつ１の他の例として、図１２及び図１３に示すパンツ型おむつ８０は、バックシート８１が第１のシート体８２と第２のシート体８３の２枚から構成されている。このパンツ型おむつ８０は、例えば第１のシート体８２が前身頃２側に配置され、第２のシート体８３が後身頃３側に配置される。第１のシート体８２は、第２のシート体８３から剥離して、丸めたおむつを包む。この第１のシート体８２は、股下部４側の端部８２ａの吸収体９と対向する対向面８４に接着部８５が設けられている。第２のシート体８３は、股下部４側の端部８３ａをギャザーシート１４と第１のシート体８２との間に介在させ、端部８３ａが第１のシート体８２の接着部８５が設けられた端部８２ａに接着され、第１のシート体８２の股下部４で接続されている。また、第１のシート体８２及び第２のシート体８３は、上述したパンツ型おむつ１と同様の構成については同一の符号を付して詳細を省略する。
【００４６】
このパンツ型おむつ８０では、接着部８５が設けられた第１のシート体８２で丸めたおむつを包むようにする。具体的には、パンツ型おむつ８０では、図１４に示すように、第１のシート体８２の股下部４側の端部８２ａを摘み部として摘み、胴開口部７側に第１のシート体８２を第２のシート体８３から剥離し、胴開口部７の辺りまで、第１のシート体８２を剥がす。剥がした第１のシート体８２は、接着部８５が外部に露出した状態となる。そして、このパンツ型おむつ８０では、股下部４側から丸め、丸めたおむつを第１のシート体８２で包み、接着部８５を丸めたおむつの外周部に接着させる。これにより、このパンツ型おむつ８０では、第１のシート体８２で丸めたおむつを包むことができる。
【００４７】
このパンツ型おむつ８０では、バックシート８１が第１のシート体８２及び第２のシート体８３の２枚から構成されているため、接着部８５が設けられた第１のシート体８２の端部８２ａを摘み部として利用し、第１のシート体８２の端部８２ａを第２のシート体８３の端部８３ａから剥離させ、第１のシート体８２のおむつからの剥離させることが容易になる。また、このパンツ型おむつ８０では、第１のシート体８２を股下部４から剥離することによって、剥離された第１のシート体８２の面積が大きく、丸めたおむつを包んだ際に、吸収体９が吸収した液体やトップシート１１に付着している汚物、におい等が漏れ出ることを防止することができる。これにより、パンツ型おむつでは、汚れずに廃棄することができる。
【００４８】
上述したパンツ型おむつ８０の製造方法について、図１５乃至図１７を参照して説明する。先ず、図１５（Ａ）に示す１枚のバックシート８１を搬送し、このバックシート８１を図１５（Ｂ）に示すように、長さ方向の略中央で２つ分割して、第１のシート体８２及び第２のシート体８３を形成する。次に、図１６に示すように、第１のシート体８２の一方の面、即ちパンツ型おむつ８０を形成した際に吸収体９側となる対向面８４の端部８２ａに接着部８５を設ける。この際には、右脚周り部５Ｒ及び左脚周り部６Ｌを形成することが可能な間隔で、端部８２ａに沿って、複数の接着部８５が設けられる。次に、図１７に示すように、第２のシート体８３の端部８３ａを第１のシート体８２の端部８２ａに重ね、第１のシート体８２の端部８２ａと第２のシート体８３の端部８３ａとを貼り合わせる。第１のシート体８２の端部８２ａと第２のシート体８３の端部８３ａとを貼り合わせる際は、第１のシート体８２に設けられている接着部８５の部分を除き、第１のシート体８２と第２のシート体８３との間にホットメルト接着剤を介在させて熱溶着することによって接着させる。第１のシート体８２と第２のシート体８３との貼り合わせ部分は、剥離可能である。
【００４９】
次に、図１８に示すように、第１のシート体８２と第２のシート体８３とが重なり合った部分の隣り合う接着部８５の間に、右脚周り部５Ｒ及び左脚周り部６Ｌを形成する。右脚周り部５Ｒ及び左脚周り部６Ｌを形成する際は、ロールカッター等で、搬送されている第１のシート体８２及び第２のシート体８３の隣り合う接着部８５の間を略楕円状に切り取って、右脚周り部５Ｒ及び左脚周り部６Ｌとなる開口部８６を形成する。次に、図１８に示すように、開口部８６の略中央を通り、第１のシート体８２及び第２のシート体８３の長さ方向に第１のシート体８２及び第２のシート体８３を分断し、股下部４で第１のシート体８２と第２のシート体８３が接続されたバックシート８１を形成する。
【００５０】
このようなバックシート８１の製造方法では、第１のシート体８２及び第２のシート体８３の一端同士で接着させ、右脚周り部５Ｒ及び左脚周り部６Ｌを構成する開口部８６を形成することによって、股下部４で接続された第１のシート体８２と第２のシート体８３とからなるバックシート８１を容易に形成することができる。
【００５１】
なお、以上のような製造方法は、バックシート８１とギャザー押えシート１４とを重ね合わせた状態で行うようにしても良い。
【００５２】
また、上述したバックシート８１の製造方法において、第１のシート体８２と第２のシート体８３を貼り合わせた後に、右脚周り部５Ｒ及び左脚周り部６Ｌを構成する開口部８６を切り取ったが、このことに限定されず、次のような方法でバックシートを形成するようにしてもよい。例えば、第１のシート体８２に接着部８５を設けた後、第１のシート体８２の端部８２ａ及び第２のシート体８３の端部８３ａに、それぞれ右脚周り部５Ｒ及び左脚回り部６Ｌを構成する開口部８６を形成する。そして、開口部８６を形成した端部８２ａ、８３ａを上述した方法と同様に貼り合わせ、図１８に示すように、開口部８６の略中央を通り、第１のシート体８２及び第２のシート体８３の長さ方向に第１のシート体８２及び第２のシート体８３を分断し、股下部４で第１のシート体８２と第２のシート体８３が接続されたバックシート８１を形成する。
【００５３】
また、他の方法としては、先ず、１枚のバックシート８１に右脚周り部５Ｒ及び左脚周り部６Ｌを構成する開口部８６を切り取った後、１枚のバックシート８１を第１のシート体８２と第２のシート体８３とに分割し、第１のシート体８２の開口部８６が形成されている側の端部８２ａに接着部８５を設ける。次に、第１のシート体８２の端部８２ａと第２のシート体８３の端部８３ａを上述したようにホットメルト接着剤等を用いて熱溶着で貼り合わせる。次に、開口部８６の略中央を通り、第１のシート体８２及び第２のシート体８３の長さ方向に第１のシート体８２及び第２のシート体８３を分断し、股下部４で第１のシート体８２と第２のシート体８３が接続されたバックシート８１を形成する。
【００５４】
また、上述したパンツ型おむつ８０において、前身頃２に配置された第１のシート体８２を剥離し、この第１のシート体８２で丸めたおむつを包んだが、第２のシート体８３側に接着部を設け、第２のシート体８３で包むようにしてもよい。
【図面の簡単な説明】
【００５５】
【図１】本発明を適用したパンツ型おむつの展開図である。
【図２】同パンツ型おむつの正面図である。
【図３】同パンツ型おむつの要部断面図である。
【図４】同パンツ型おむつの正面図である。
【図５】同パンツ型おむつの分割部を股下部側に展開した状態を示す正面図である。
【図６】同パンツ型おむつを丸めた状態を示す斜視図である。
【図７】他の例のパンツ型おむつであり、前身頃に切取線が設けら、分割部を股下部側及び同開口部側に展開した状態を示す正面図である。
【図８】他の例のパンツ型おむつであり、後身頃に切取線が設けられ、分割部を左脚開口部側に展開した状態を示す背面図である。
【図９】他の例のパンツ型おむつであり、後身頃に切取線が設けられ、分割部を左脚開口部及び右脚開口部側に展開した状態を示す背面図である。
【図１０】他の例のパンツ型おむつであり、切取線を略凹状に設け、分割部を股下部側に展開した状態を示す正面図である。
【図１１】他の例のパンツ型おむつであり、切取線を股下部近傍に設け、弾性部材が設けられた分割部を股下部側に展開した状態の正面図である。
【図１２】他の例のパンツ型おむつであり、２枚のバックシートが股下部で接続されている状態を示す正面図である。
【図１３】同パンツ型おむつの展開図である。
【図１４】同パンツ型おむつの第１のバックシートを同開口部側に展開した状態を示す正面図である。
【図１５】バックシートを形成する工程を示す斜視図であり、図中（Ａ）は、１枚のバックシートを示す斜視図であり、図中（Ｂ）は、１枚のバックシートを２枚に分割した状態を示す斜視図である。
【図１６】バックシートを形成する際に、第１のバックシートに接着部を設けた状態を示す斜視図である。
【図１７】バックシートを形成する際に、第１のバックシートと第２のバックシート貼り合わせた状態を示す斜視図である。
【図１８】貼り合わせた第１のバックシートと第２のバックシートに開口部を形成した状態を示す斜視図である。
【符号の説明】
【００５６】
１  パンツ型おむつ、２  前身頃、３  後身頃、４  股下部、５  右脚開口部、５Ｒ  右脚周り部、６  左脚開口部、６Ｌ  左脚周り部、７  胴開口部、７Ｗ  胴周り部、８Ｒ，８Ｌ  接合部、９  吸収体、１０Ｗ，１０Ｂ  弾性部材、１１  トップシート、１２  バックシート、１３  防水シート、１４  ギャザーシート、１５  起立カフス、２１  切取線、２２  分割部、２３  対向面、２４  接着部
【図１】
2005278886.tif 000003
【図２】
2005278886.tif 000004
【図３】
2005278886.tif 000005
【図４】
2005278886.tif 000006
【図５】
2005278886.tif 000007
【図６】
2005278886.tif 000008
【図７】
2005278886.tif 000009
【図８】
2005278886.tif 000010
【図９】
2005278886.tif 000011
【図１０】
2005278886.tif 000012
【図１１】
2005278886.tif 000013
【図１２】
2005278886.tif 000014
【図１３】
2005278886.tif 000015
【図１４】
2005278886.tif 000016
【図１５】
2005278886.tif 000017
【図１６】
2005278886.tif 000018
【図１７】
2005278886.tif 000019
【図１８】
2005278886.tif 000020